(57)【特許請求の範囲】
【請求項１】
ハウジングと、
前記ハウジングの内部に設けられ、磁界を形成する一対の磁石および前記磁石により形成される磁界内に配置されたリボン型振動板を有するリボンマイクロホンユニットと、
前記ハウジングに設けられ、前記ハウジング外部からの音声を前記リボンマイクロホンユニットに導き入れる窓部と、
を備えたリボンマイクロホンであって、
前記窓部を覆うことで前記窓部を密閉可能なカバーをさらに備えたリボンマイクロホン。
【請求項２】
前記カバーはスライド可能となっていて、前記カバーを前記ハウジングに沿ってスライドすることで前記窓部が開閉される請求項１記載のリボンマイクロホン。
【請求項３】
前記カバーは着脱可能である請求項１または２記載のリボンマイクロホン。
【請求項４】
リボンマイクロホンユニットが収納されているハウジングを有し、前記ハウジングに外部からの音声を導き入れる窓部が形成されているリボンマイクロホンを収納するためのリボンマイクロホン用収納ケースであって、
前記リボンマイクロホン用収納ケースの内側に前記リボンマイクロホンを包み込むための弾性部材が取り付けられ、
前記弾性部材のうち少なくとも前記窓部に当接する部分にカバー部材が取り付けられ、
前記カバー部材は、前記リボンマイクロホンが前記リボンマイクロホン用収納ケース内に収納された状態で前記窓部を塞ぐリボンマイクロホン用収納ケース。
【発明の詳細な説明】
【技術分野】
【０００１】
本発明は、リボン状に形成された振動板（以下、「リボン型振動板」という）の破損を効果的に防止することのできるリボンマイクロホンおよびリボンマイクロホン用収納ケースに関するものである。
【背景技術】
【０００２】
振動板の振動による起電力を利用して電気信号に変換する磁電型マイクロホンの一種として、特許文献１に記載されているように、リボン型振動板を用いたリボンマイクロホンがある。このリボンマイクロホンは、感度が低いため長い間敬遠されていたが、音質が柔らかく、不快感がないことから、音声や和楽器、弦楽器などの集音に好んで使われはじめ、近年、レコーディング等の現場で注目を集めている。
【０００３】
図４に従来のリボンマイクロホンの例を示す。従来のリボンマイクロホン１は、図４（Ｃ）に示すように、円筒状のハウジング１０の内部にリボンマイクロホンユニット２が収納されている。また、図４（Ａ）および図４（Ｂ）に示すように、ハウジング１０には金属等よりなるネットやパンチングメタル等により覆われた窓部１１が形成されていて、ハウジング１０の外部からの音声は、この窓部１１を介してリボンマイクロホンユニット２へと至る。
【０００４】
リボンマイクロホンユニット２は、枠形の支持体１３と、この支持体１３に取り付けられた一対の磁石１４と、この磁石１４の磁界内に配置されたリボン型振動板１２と、を少なくとも備える。支持体１３はその長手方向にスリット状の窓孔１５を有し、この窓孔１５の長手方向両側縁に沿って一対の磁石１４が配置され、この一対の磁石１４の間に均一な磁界が形成されている。リボン型振動板１２は、その振動方向が磁石１４間に形成される磁界を横切るように配置されている。
【０００５】
支持体１３は、磁石１４が取り付けられる枠形の固定部材である。支持体１３は、所謂ヨーク（継鉄）として機能させると良い。この場合の支持体１３の材料としては、例えば、鉄や鈍鉄、ケイ素鉄やアモルファス等の軟磁性材料を挙げることができる。このように、支持体１３をヨークとすることで、磁石１４の磁気回路の磁気抵抗を低くして、磁石１４間に形成される磁界の磁束密度を高め、この磁界内でリボン型振動板１２が振動することによってリボン型振動板１２の両端にあらわれる出力を増大させることができる。
【０００６】
リボン型振動板１２は、リボン状に形成された可動振動板である。リボン型振動板１２は、導電性を有し、比重が軽い素材であれば特に限定されない。かかる条件にかなう材料として、一般的にアルミニウム箔が用いられている。リボン型振動板１２の両面に対向して、上記ハウジング１０の窓部１１がある。
【０００７】
このリボン型振動板１２は、両端部が、導電性を有する部材により構成された一対の挟持部材１７、１８により挟まれ固定されている。この挟持部材１７、１８は、リボン型振動板１２をサンドイッチ状に挟んだ状態で、ねじ１６を用いて支持体１３に固定されている。挟持部材１７、１８は、支持体１３に対する取り付けと固定を行い易くすると共に、リボン型振動板１２を磁石１４の磁界内に確実に配置するためのスペーサの役割も兼ねている。
【０００８】
磁石１４は、支持体１３に接合された細長い形をした永久磁石である。この磁石１４は、幅方向にＮ極とＳ極が形成されるように着磁されている。そして、磁石１４は、リボン型振動板１２の長さ方向に沿って平行に、かつ、リボン型振動板１２の両側にそれぞれ対向して配置されている。さらに、磁石１４とリボン型振動板１２の側面との間には、適宜のスリット状の窓孔が存在している。したがって、磁石１４が対向する空間に磁界が形成され、少なくともリボン型振動板１２の主要振動部が、この磁界内に磁界方向と平行に配置されている。そして、リボン型振動板１２は、音波を受けると磁界を横切る方向に振動し、音波に応じた電気信号を発電する。
【０００９】
磁石１４は、ネオジウム磁石とすると望ましい。ネオジウム磁石は、ネオジウム、鉄、ホウ素を主成分とした磁石であり、コバルト磁石、フェライト磁石などのような他の材質からなる磁石と比較して磁束密度が高く、また、研磨加工を容易に行うことができ、加工性に優れている。したがって、小さくても強い磁力を得ることができ、簡単に磁束密度を高めることができる。
【００１０】
上述したように、リボンマイクロホン１のリボン型振動板１２は一般的にアルミニウム箔で形成されている。そのため、輸送時にリボンマイクロホン１に衝撃が加わると、リボン型振動板１２の慣性力によりリボン型振動板１２が伸びてしまい、マイクロホン１が故障する恐れがある。そのため、図５（Ａ）に示すように、リボンマイクロホン１の収納ケース３０の内側には、リボンマイクロホン１に強い衝撃が直接加わらないように、スポンジ等の弾性部材３２が取り付けられている。リボンマイクロホン１はこの弾性部材３２により弾性的に支持されている。
【先行技術文献】
【特許文献】
【００１１】
【特許文献１】特開２００８−１９３３００号公報
【発明の概要】
【発明が解決しようとする課題】
【００１２】
弾性部材３２としてスポンジを用いる場合、一般的に、衝撃を効果的に緩衝できるように、連続気泡の形成された、柔軟性に富んだスポンジが用いられている。
【００１３】
しかし、このようなスポンジは柔軟性に富んでいることから、リボンマイクロホン１を収納した状態で収納ケース３０に衝撃が加わると、図５（Ｂ）に示すように、リボンマイクロホン１は収納ケース３０の中で大きく変位する。このとき、リボンマイクロホン１が移動する方向に位置する弾性部材３２は押しつぶされる。
【００１４】
リボンマイクロホン１が変位する場合、リボン型振動板１２自身と、リボンマイクロホン１の移動により押しつぶされる弾性部材３２の内部にある空気とに慣性力が作用する。そのため、リボン型振動板１２には、自身が元の位置に留まろうとする慣性力と、押しつぶされた弾性部材３２内部の空気がその場に留まろうとして生じる気圧とが作用することになる。そして、これら２つの力を受けることで、リボン型振動板１２が伸びてしまう恐れがある。すなわち、収納ケース３０内部に弾性部材３２を取り付けるだけでは、収納ケース３０に衝撃が加わったときのリボン型振動板１２の伸びを充分に防止することができず、リボンマイクロホン１の故障を効果的に防止できない恐れがある。
【００１５】
本発明は、収納ケースに衝撃が加わった場合でもリボン型振動板の伸びを防止し、リボンマイクロホンの故障を効果的に防止することのできるリボンマイクロホンおよびリボンマイクロホン用収納ケースを提供することを目的とする。
【課題を解決するための手段】
【００１６】
本発明は、ハウジングと、ハウジングの内部に設けられ、磁界を形成する一対の磁石および磁石により形成される磁界内に配置されたリボン型振動板を有するリボンマイクロホンユニットと、ハウジングに設けられ、ハウジング外部からの音声をリボンマイクロホンユニットに導き入れる窓部と、を備えたリボンマイクロホンであって、窓部を覆うことで窓部を密閉可能なカバーをさらに備えたことを最も主要な特徴とする。
【発明の効果】
【００１７】
本発明によれば、リボンマイクロホンが収納されている収納ケースに外部からの衝撃が加わり、収納ケース内でリボンマイクロホンが変位しても、リボンマイクロホンに収納ケース内部の空気の慣性力に起因する圧力が加わることを防止し、リボン型振動板の破損を効果的に防止することができる。
【図面の簡単な説明】
【００１８】
【図１】本発明に係るリボンマイクロホンの実施例を示す側面図および断面図である。
【図２】図１のリボンマイクロホンが収納ケースに収納されている状態を示す断面図である。
【図３】本発明に係るリボンマイクロホン用収納ケースの実施例を示す斜視図である。
【図４】従来のリボンマイクロホンの例を示す側面図および断面図である。
【図５】図４のリボンマイクロホンが収納ケースに収納されている状態を示す断面図である。
【発明を実施するための形態】
【００１９】
＜リボンマイクロホン＞
以下、本発明に係るリボンマイクロホンの実施例について、図１および図２を用いて説明する。なお、図１および図２において、従来のコンデンサマイクロホンユニットと同一の部品あるいは構成部分については、同一の符号を付してある。
【００２０】
リボンマイクロホン１は、図１（Ｃ）に示すように、円筒状のハウジング１０の内部にリボンマイクロホンユニット２が収納された構成となっている。また、図１（Ａ）および図１（Ｂ）に示すように、ハウジング１０には金属等よりなるネットやパンチングメタル等により覆われた窓部１１が形成されていて、ハウジング１０の外部からの音声は、この窓部１１を介してリボンマイクロホンユニット２へと至る。また、ハウジング１０の外周には、長手方向にスライド可能な筒形のカバー４０が設けられていて、カバー４０をスライドすることで窓部１１を開閉することができる。
【００２１】
リボンマイクロホンユニット２は、枠形の支持体１３と、この支持体１３に取り付けられた一対の磁石１４と、この磁石１４の磁界内に配置されたリボン型振動板１２と、を少なくとも備える。支持体１３はその長手方向にスリット状の窓孔１５を有し、この窓孔１５の長手方向両側縁に沿って一対の磁石１４が配置され、この一対の磁石１４の間に均一な磁界が形成されている。リボン型振動板１２は、その振動方向が磁石１４間に形成される磁界を横切るように配置されている。
【００２２】
支持体１３は、磁石１４が取り付けられる枠形の固定部材である。支持体１３は、所謂ヨーク（継鉄）として機能させると良い。この場合の支持体１３の材料としては、例えば、鉄や鈍鉄、ケイ素鉄やアモルファス等の軟磁性材料を挙げることができる。このように、支持体１３をヨークとすることで、磁石１４の磁気回路の磁気抵抗を低くして、磁石１４間に形成される磁界の磁束密度を高め、この磁界内でリボン型振動板１２が振動することによってリボン型振動板１２の両端にあらわれる出力を増大させることができる。
【００２３】
リボン型振動板１２は、リボン状に形成された可動振動板である。リボン型振動板１２は、導電性を有し、比重が軽い素材であれば特に限定されない。かかる条件にかなう材料として、一般的にアルミニウム箔が用いられている。リボン型振動板１２の両面に対向して、上記ハウジング１０の窓部１１がある。
【００２４】
このリボン型振動板１２は、両端部が、導電性を有する部材により構成された一対の挟持部材１７、１８により挟まれ固定されている。この挟持部材１７、１８は、リボン型振動板１２をサンドイッチ状に挟んだ状態で、ねじ１６を用いて支持体１３に固定されている。挟持部材１７、１８は、支持体１３に対する取り付けと固定を行い易くすると共に、リボン型振動板１２を磁石１４の磁界内に確実に配置するためのスペーサの役割も兼ねている。
【００２５】
磁石１４は、支持体１３に接合された細長い形をした永久磁石である。この磁石１４は、幅方向にＮ極とＳ極が形成されるように着磁されている。そして、磁石１４は、リボン型振動板１２の長さ方向に沿って平行に、かつ、リボン型振動板１２の両側にそれぞれ対向して配置されている。さらに、磁石１４とリボン型振動板１２の側面との間には、適宜のスリット状の窓孔が存在している。磁石１４が対向する空間に磁界が形成され、少なくともリボン型振動板１２の主要振動部が、この磁界内に磁界方向と平行に配置されている。そして、リボン型振動板１２は、音波を受けると磁界を横切る方向に振動し、音波に応じた電気信号を発電する。
【００２６】
磁石１４は、ネオジウム磁石とすると望ましい。ネオジウム磁石は、ネオジウム、鉄、ホウ素を主成分とした磁石であり、コバルト磁石、フェライト磁石などのような他の材質からなる磁石と比較して磁束密度が高く、また、研磨加工を容易に行うことができ、加工性に優れている。したがって、小さくても強い磁力を得ることができ、簡単に磁束密度を高めることができる。
【００２７】
カバー４０はハウジング１０の直径よりも大きな内径を有する円筒状の部材であり、ハウジング１０に対してスライド可能に取り付けられている。カバー４０が窓部１１を覆う位置にある場合には、カバー４０は窓部１１を塞ぎ、ハウジング１０の内部を外部と隔離することができる。カバー４０の材料としては、樹脂の他、金属等、円筒状に加工できカバー４０を塞ぐことのできる材料であれば特に限定されることはない。
【００２８】
上述したリボンマイクロホン１が収納ケース３０内に収納されている状態を図２（Ａ）に示す。リボンマイクロホン１はその周囲が収納ケース３０内に埋め込まれているスポンジ状の弾性部材３２で包み込まれている。リボンマイクロホン１の窓部１１はカバー４０により塞がれている。
【００２９】
リボンマイクロホン１を収納した収納ケース３０に対し、外部から衝撃が加わった状態を図２（Ｂ）に示す。リボンマイクロホン１は、外部からの衝撃力で、収納ケース３０内で一方向に変位し、弾性部材３２を一方では圧縮し、他方では伸張させる。このとき、リボン型振動板１２にはリボン型振動板１２自身の慣性力が作用する。しかし、図４（Ｃ）に示す従来のリボンマイクロホン１が変位する場合と異なり、窓部１１がカバー４０により塞がれているため、マイクロホン１の変位に伴ってその内部の空気を変位し、収納ケース３０内部の空気の慣性力に起因する圧力がリボン型振動板１２に加わることがない。
【００３０】
これにより、従来のリボンマイクロホン１と比較し、収納ケース３０に外部からの衝撃が加わった場合のリボン型振動板１２の変位を大幅に抑えることができる。そのため、リボン型振動板１２の伸びを効果的に防止することができ、リボンマイクロホン１の故障を効果的に防止することができる。
【００３１】
＜リボンマイクロホン用収納ケース＞
次に、本発明に係るリボンマイクロホン用収納ケースの実施例について、図３を用いて説明する。なお、図５に示した従来のリボンマイクロホン１を収納しているリボンマイクロホン用収納ケース３０を従来のリボンマイクロホン用収納ケースとし、同じ構成部分については同一の符号を付してある。
【００３２】
本実施例に係るリボンマイクロホン用収納ケース３０は、従来のリボンマイクロホン、すなわち、前記リボンマイクロホンの実施例におけるカバー４０を備えていないリボンマイクロホンを収納する場合に用いられることを想定している。また、図３においては、リボンマイクロホン用収納ケース３０は蓋を除いた状態で示されている。本発明に係るリボンマイクロホン用収納ケース３０では、図３に示すリボンマイクロホン用収納ケース３０と実質的に同一なものが蓋として用いられることで、リボンマイクロホン１を収納することができる。
【００３３】
図３に示すように、本実施例に係るリボンマイクロホン用収納ケース３０の内側には、リボンマイクロホン１に強い衝撃が直接加わらないように、スポンジ等の弾性部材３２が取り付けられている。弾性部材３２には、リボンマイクロホン１の外形とほぼ同一の形状を有する凹部３４が設けられている。この凹部３４にリボンマイクロホン１が嵌合することで、リボンマイクロホン１は弾性部材３２により包み込まれ、弾性的に支持される。
【００３４】
ここで、本実施例に係るリボンマイクロホン用収納ケース３０は、従来のリボンマイクロホン用収納ケースと異なり、凹部３４のうちリボンマイクロホン１の窓部１１に接触する部分に、カバー部材３６が設けられている。収納ケース３０内にリボンマイクロホン１が収納された状態においては、このカバー部材３６が窓部１１を塞ぐことで、リボンマイクロホン１のハウジング１０内部と外部を隔離することができる。
【００３５】
カバー部材３６の材料としては、リボンマイクロホン１を弾性的に支持しつつ、窓部１１を塞ぐ必要があるため、弾性力を有するとともに気密性の高い、樹脂等の素材が用いられる。
【００３６】
このように、本実施例に係るリボンマイクロホン用収納ケース３０は、内部に収納されたリボンマイクロホン１の窓部１１をカバー部材３６で塞ぎ、ハウジング１０内部を外部と隔離することができる。これにより、収納ケース３０に外部からの衝撃が加わり、リボンマイクロホン１が大きく変位した場合でも、収納ケース３０内部の空気の慣性力に起因する圧力がリボン型振動板１２に加わることがない。
【００３７】
これにより、従来のリボンマイクロホン用収納ケース３０と比較し、収納ケース３０に外部からの衝撃が加わった場合のリボン型振動板１２の変位を大幅に抑えることができる。そのため、リボン型振動板１２の伸びを効果的に防止することができ、リボンマイクロホン１の故障を効果的に防止することができる。
【符号の説明】
【００３８】
１  リボンマイクロホン
２  リボンマイクロホンユニット
１０  ハウジング
１１  窓部
１２  リボン型振動板
１３  支持体
１４  磁石
１５  窓孔
１６  ねじ
１７、１８  挟持部材
３０  収納ケース
３２  弾性部材
３４  凹部
３６  カバー部材
４０  カバー
【図１】
0005485098.tif 000002
【図２】
0005485098.tif 000003
【図３】
0005485098.tif 000004
【図４】
0005485098.tif 000005
【図５】
0005485098.tif 000006